(57)【要約】【課題】  比較的安価で且つ工業的に有利な消臭効果のある人体に安全な工業用消臭剤を提供することを課題とする。【解決手段】  茶と、炭酸水素ナトリウム、炭酸ナトリウム、過炭酸ナトリウムまたは酸化マグネシウムから選ばれる少なくとも１種以上とを有効成分とする工業用消臭剤により、上記課題を解決する。【選択図】  なし【特許請求の範囲】
【請求項１】
茶と、炭酸水素ナトリウム、炭酸ナトリウム、過炭酸ナトリウムまたは酸化マグネシウムから選ばれる少なくとも１種以上とを有効成分とする工業用消臭剤。
【請求項２】
茶と、炭酸水素ナトリウム、過炭酸ナトリウムまたは酸化マグネシウムから選ばれる少なくとも１種以上との配合割合が、４：６〜１：１００（重量比）である請求項１に記載の工業用消臭剤。
【請求項３】
茶と、炭酸ナトリウムとの配合割合が、７：３〜１：５０（重量比）である請求項１に記載の工業用消臭剤。
【請求項４】
さらに、植物由来の精油から選ばれる１種以上を有効成分とする請求項１から３のいずれかに記載の工業用消臭剤。
【発明の詳細な説明】
【技術分野】
【０００１】
本発明は、工業用消臭剤に関する。さらに詳しくは、茶と、特定のアルカリ金属塩または金属酸化物から選ばれる少なくとも１種以上とを有効成分とする工業用消臭剤に関する。
【背景技術】
【０００２】
従来から、農業、畜産業、水産業、各種工業から排出される各種産業廃棄物および堆積物、これらが天日や雨水等により変化または腐敗した劣化物およびこれらから排出される排水、ならびに下水道、し尿処理場等の処理場、工事現場で発生する浚渫土、ヘドロ、汚泥、残土等から発生する各種の悪臭は、現場の作業員に不快感を与えて作業効率等の低下を生じさせるだけでなく、作業現場周辺の住民にも多大な不快感を与えるとともに、住環境を悪化させることとなっていた。現在までのところ、上述のような悪臭防止対策としては、上記産業廃棄物を焼却処理、埋め立て処理、シート等で覆う手段が一般的であり、特に、排水やし尿処理の場合、貯槽等の処理設備を密閉系として外部に漏洩しないようにする、香料単品を散布してマスキングする等の方法がとられている。
【０００３】
消臭剤による悪臭防止対策としては、悪臭物質と化学的に反応して無臭の化学物質に変化させることによって消臭効果が期待でき、しかも人体に安全な天然物由来の消臭剤の開発が検討されてきた。天然物由来の消臭剤としては、茶葉を温水乃至熱水に浸漬して水溶性成分を溶出させ、得られた茶殻を乾燥し、粉砕して得られた茶殻乾燥粉末と、ニンジン葉を温水乃至熱水でブランチング処理し、乾燥し、粉砕して得られたニンジン葉ブランチング処理乾燥粉末とを混合して得られる混合物を有効成分とする消臭剤（特許第３０９７８９８号公報）や、シソ科植物、緑茶、甜茶、ウーロン茶、プロポリス、ローヤルゼリー、蜂蜜およびそれらの抽出物からなる群より選択される天然物由来の消臭成分と、炭酸水素ナトリウム、炭酸ナトリウムおよび炭酸カルシウムからなる群より選択されるアルカリ性化合物が別々に配合された口腔用消臭剤（特開２００３−９５９０５号公報）等が提案されていた。
【０００４】
しかしながら、茶と、炭酸水素ナトリウム、炭酸ナトリウム、過炭酸ナトリウムまたは酸化マグネシウムから選ばれる少なくとも１種以上とを同時に混合して使用することで、比較的安価で且つ工業的に有利な消臭効果のある消臭剤が得られることについては知られていなかった。
【０００５】
【特許文献１】特許第３０９７８９８号公報
【特許文献２】特開２００３−９５９０５号公報
【発明の開示】
【発明が解決しようとする課題】
【０００６】
本発明は、比較的安価で且つ工業的に有利な消臭効果のある人体に安全な工業用消臭剤を提供することを課題とする。
【課題を解決するための手段】
【０００７】
本発明者は、工業的に有利な消臭効果のある天然物由来の消臭剤について検討を行なった結果、茶と、炭酸水素ナトリウム、炭酸ナトリウム、過炭酸ナトリウムまたは酸化マグネシウムから選ばれる少なくとも１種以上とを用いることにより、比較的安価で且つ工業的に有利な消臭効果を発揮するという知見を得て、本発明を完成するに到った。
【０００８】
よって本発明によれば、茶と、炭酸水素ナトリウム、炭酸ナトリウム、過炭酸ナトリウムまたは酸化マグネシウムから選ばれる少なくとも１種以上とを有効成分とする工業用消臭剤が提供される。
【発明の効果】
【０００９】
本発明によれば、茶と、炭酸水素ナトリウム、炭酸ナトリウム、過炭酸ナトリウムまたは酸化マグネシウムから選ばれる少なくとも１種以上とを有効成分とする工業用消臭剤を用いることにより、比較的安価で且つ人体に安全で工業的に有利な消臭効果を発揮できる。
【発明を実施するための最良の形態】
【００１０】
本発明で使用する茶としては特に限定されず、日本茶、中国茶、紅茶等の茶または茶殻が挙げられる。日本茶としては、甜茶、玉露茶、かぶせ茶、京番茶、煎茶、ほうじ茶、玄米茶、番茶、玉茶などが挙げられる。中国茶としては、龍井などの緑茶、鉄観音、烏龍などの青茶、プーアール茶などの黒茶、茉莉花茶などの花茶、あるいは黄茶、白茶などが挙げられる。紅茶としては、ダージリン、アッサム、ウヴァ、セイロン、ニルギリ、キーマンなどが挙げられる。また、前記に挙げたお茶を複数用いたブレンド茶等でもかまわない。また、茶種によって一番茶、二番茶、三番茶と摘採時期がある茶種については、どの時期のものであってもかまわない。さらにこれらの形態としては、リーフでもよく、ティーパックや粉末茶のように加工を施したものでもよい。
【００１１】
本発明で使用する茶と炭酸水素ナトリウム、過炭酸ナトリウムまたは酸化マグネシウムから選ばれる１種以上との配合割合は、重量比で４：６〜１：１００、好ましくは３：７〜１：５０でより消臭効果の高い薬剤が得られる。
【００１２】
本発明で使用する茶と炭酸ナトリウムとの配合割合は、重量比で７：３〜１：５０、好ましくは６：４〜２：８でより消臭効果の高い薬剤が得られる。
【００１３】
本発明で使用する茶と、炭酸水素ナトリウム、炭酸ナトリウム、過炭酸ナトリウムまたは酸化マグネシウムから選ばれる１種との配合形態については特に限定されないが、流動性や水溶解性の点からある程度の粒径を有する粉体であることが望ましい。また消臭成分の分解や変質を起こさないために、酸化防止剤などをさらに添加してもよい。
【００１４】
本発明の工業用消臭剤としては、上記の消臭成分にさらに、植物由来の精油から選ばれる１種以上を用いることができる。植物由来の精油としては、リナロール、リナロールオキサイド、リナロールオキサイドアセテート、リナロールアセテートケトン、リモネン、ターピネオール、ペリラアルデヒド、メントール、メントン、薄荷白油、樟脳白油、ローズオキサイド、ユーカリ油、シトロネラール、シトロネロール、ヒバ油などが挙げられる。
【００１５】
本発明の工業用消臭剤を用いる場合に対象となる悪臭としては、硫化水素、硫化メチル、メルカプタンなどの硫黄系の臭い、ホルムアルデヒド、アセトアルデヒドなどのアルデヒド系の臭い、酢酸エチルなどのエステル系の臭い、吉草酸、プロピオン酸などの脂肪酸系の臭い、トルエン、キシレンなどの芳香族炭化水素系の臭い、フェノール、クレゾールなどの芳香族アルコール系の臭い、インドール、アンモニア、トリメチルアミンなどの窒素系の臭い、酢酸、酪酸などの炭素系の臭いなどが挙げられる。
【００１６】
この発明を以下の製剤例及び試験例により具体的に説明するが、この発明はこれらの製剤例及び試験例により限定されるものではない。
【実施例１】
【００１７】
１８ｐｐｍの硫化水素ガスを検知する硫化水素標準液を、３００ｍｌの三角フラスコに１００ｍｌ入れて、ガスを充満させておいた。各フラスコに抹茶粉末と炭酸水素ナトリウムをある一定の比率で予め混ぜ合わせておいた消臭剤を１００ｍｇ／リットルとなるように添加し、密閉した後軽く１分間振って反応させた後、３時間放置して硫化水素ガス濃度をガス検知管（（株）ガステック社製）で測定した。測定結果を表１に示す。
【００１８】
【表１】
2005143770.tif 000002
【００１９】
表１の結果から、抹茶と炭酸水素ナトリウムを併用することにより、硫化水素の濃度を低減させることができる。
【実施例２】
【００２０】
２００ｐｐｍのアンモニアガスを検知するアンモニア標準水溶液を、実施例１と同様、３００ｍｌの三角フラスコに１００ｍｌ入れて、ガスを充満させておいた。各フラスコに抹茶粉末と炭酸水素ナトリウムをある一定の比率で予め混ぜ合わせておいた消臭剤を１００ｍｇ／リットルとなるように添加し、密閉した後軽く１分間振って反応させ、直後のアンモニアガス濃度をガス検知管で測定した。また、官能試験によるにおいの変化についても調べた。官能試験は６人のパネラーに以下の６段階評価を行なってもらい、全員の評価の平均を算出した。測定結果を表２に示す。
（官能評価）
０・・・アンモニア臭全くなし
１・・・わずかに感知できる程度のアンモニア臭
２・・・比較的容易に感知可能なアンモニア臭
３・・・中程度のアンモニア臭
４・・・やや強いアンモニア臭
５・・・強いアンモニア臭
【００２１】
【表２】
2005143770.tif 000003
【００２２】
表２の結果から、抹茶と炭酸水素ナトリウムを併用することにより、アンモニアの濃度を低減させることができる。
【実施例３】
【００２３】
１０ｐｐｍの硫化水素ガスを検知する硫化水素標準液を、３００ｍｌの三角フラスコに１００ｍｌ入れて、ガスを充満させておいた。各フラスコに抹茶粉末と炭酸ナトリウムをある一定の比率で予め混ぜ合わせておいた消臭剤を１００ｍｇ／リットルとなるように添加し、密閉した後軽く１分間振って反応させた後、１時間放置して硫化水素ガス濃度をガス検知管（（株）ガステック社製）で測定した。また比較試験として炭酸ナトリウムのかわりに、炭酸カルシウムについても同様に測定を行なった。測定結果を表３および４に示す。
【００２４】
【表３】
2005143770.tif 000004
【００２５】
【表４】
2005143770.tif 000005
【００２６】
表３および表４の結果から、抹茶と炭酸ナトリウムを併用することにより、硫化水素の濃度を低減させることができる。しかしながら、抹茶と炭酸カルシウムを併用しても硫化水素の濃度を低減することはできなかった。
【実施例４】
【００２７】
１２ｐｐｍの硫化水素ガスを検知する硫化水素標準液を、３００ｍｌの三角フラスコに１００ｍｌ入れて、ガスを充満させておいた。各フラスコに抹茶粉末と酸化マグネシウムをある一定の比率で予め混ぜ合わせておいた消臭剤を５０ｍｇ／リットルとなるように添加し、密閉した後軽く１分間振って反応させた後、１時間放置して硫化水素ガス濃度をガス検知管（（株）ガステック社製）で測定した。測定結果を表５に示す。
【００２８】
【表５】
2005143770.tif 000006
【００２９】
表５の結果から、抹茶と酸化マグネシウムを併用することにより、硫化水素の濃度を低減させることができる。
【実施例５】
【００３０】
食品工場から出た活性汚泥の脱水ケーキを１００ｇずつ５００ｍｌポリ瓶に入れて、それぞれのポリ瓶に抹茶粉末と炭酸水素ナトリウムをある一定の比率で予め混ぜ合わせておいた消臭剤を２，０００ｍｇ／リットルとなるように添加し、密閉して２，３回軽く振った後、室温で２日放置し、汚泥臭の変化を官能試験で評価した。官能試験は６人のパネラーに行なってもらい、全員の評価の平均をまとめた。評価結果を表６に示す。またそれらを数値化し、ＸＹ座標上にプロットしたものを表７に示す。
【００３１】
【表６】
2005143770.tif 000007
【００３２】
【表７】
2005143770.tif 000008
【００３３】
表６および表７の結果から、抹茶と炭酸水素ナトリウムとを配合した消臭剤が、汚泥臭を緩和させることができた。これに対し、マスキング剤や微生物系消臭剤、炭酸水素ナトリウム単独、抹茶単独では満足のいく消臭効果が得られなかった。
【実施例６】
【００３４】
薬品工場跡地から出た灯油臭のきつい土壌の土を５００ｇずつビニル袋に小分けし、それぞれの袋に抹茶粉末と炭酸水素ナトリウムをある一定の比率で予め混ぜ合わせておいた消臭剤を土に対して１％となるように添加し、ビニル袋を土の５倍程度の体積に膨らませ、口を輪ゴムで止めて激しく５０回振った。これらを１時間程度放置した後、実施例３と同様、６人のパネラーで官能試験を行ない、灯油臭の緩和度を評価した。評価結果を表８に示す。またそれらを数値化し、ＸＹ座標上にプロットしたものを表９に示す。
【００３５】
【表８】
2005143770.tif 000009
【００３６】
【表９】
2005143770.tif 000010
【００３７】
表８および表９の結果から、抹茶と炭酸水素ナトリウムとを配合した消臭剤が、灯油臭を緩和させることができた。これに対し、マスキング剤、炭酸水素ナトリウム単独、抹茶単独では満足のいく消臭効果が得られなかった。
【産業上の利用可能性】
【００３８】
各種排水、下水道、し尿処理場等の処理場、工事現場で発生する浚渫土、ヘドロ、汚泥、残土等から発生する各種の悪臭に対する工業用消臭剤として適用できる。